(57)【要約】【課題】複数の光学系を有効に利用することができる撮像装置を提供すること。【解決手段】第１光学系による対象の像を撮像する第１撮像部と、前記第１光学系とは異なる第２光学系による前記対象の像を撮像する第２撮像部と、前記第１撮像部によって撮像される画角を小さくした場合に前記第２撮像部によって撮像される画角を大きくする制御を行い、前記第１撮像部によって撮像される画角を大きくした場合に前記第２撮像部によって撮像される画角を小さくする制御を行う制御部と、を具備する撮像装置。【選択図】図４
2011112662.tif 000002
【特許請求の範囲】
【請求項１】
第１光学系による対象の像を撮像する第１撮像部と、
前記第１光学系とは異なる第２光学系による前記対象の像を撮像する第２撮像部と、
前記第１撮像部によって撮像される画角を小さくした場合に前記第２撮像部によって撮像される画角を大きくする制御を行い、前記第１撮像部によって撮像される画角を大きくした場合に前記第２撮像部によって撮像される画角を小さくする制御を行う制御部と、を具備する撮像装置。
【請求項２】
前記制御部は、前記第１撮像部によって撮像される画角が前記所定の画角より大きい場合は、前記第２撮像部によって撮像される画角が前記第１撮像部によって撮像される画角より小さくなるように制御を行い、
前記第１撮像部によって撮像される画角が所定の画角より小さい場合は、前記第２撮像部によって撮像される画角が前記第１撮像部によって撮像される画角より大きくなるように制御を行う請求項１記載の撮像装置。
【請求項３】
前記制御部は前記所定の画角を変更する制御を行う請求項２記載の撮像装置。
【請求項４】
前記第１撮像部によって撮像される画角と前記第２撮像部によって撮像される画角との差が所定の範囲内にある場合、前記第２撮像部は撮像を行わない請求項１から３いずれか一項記載の撮像装置。
【請求項５】
前記制御部は、前記第１撮像部によって撮像される画角を前記第２撮像部によって撮像される画角より小さくする制御を行う請求項１記載の撮像装置。
【請求項６】
前記制御部は、前記第１撮像部によって撮像される画角及び前記第２撮像部によって撮像される画角を、連続的に変化させる制御を行う請求項１から６いずれか一項記載の撮像装置。
【請求項７】
前記制御部は、前記第１撮像部によって撮像される画角及び前記第２撮像部によって撮像される画角を、離散的に変化させる制御を行う請求項１から６いずれか一項記載の撮像装置。
【発明の詳細な説明】
【技術分野】
【０００１】
本願発明は、撮像装置に関する。
【背景技術】
【０００２】
特許文献１には、倍率の異なる２つの撮像系（光学系と撮像素子）を有するカメラが開示されている。
【先行技術文献】
【特許文献】
【０００３】
【特許文献１】特開２００６−９３８５８号公報
【発明の概要】
【発明が解決しようとする課題】
【０００４】
従来の技術では、複数の光学系による像をオートフォーカスに用いているに過ぎない。本願発明は上記課題に鑑み、複数の光学系を有効に利用することができる撮像装置を提供することを目的とする。
【課題を解決するための手段】
【０００５】
本撮像装置は、第１光学系（４）による対象の像を撮像する第１撮像部（６）と、前記第１光学系とは異なる第２光学系（１０）による前記対象の像を撮像する第２撮像部（１２）と、前記第１撮像部によって撮像される画角を小さくした場合に前記第２撮像部によって撮像される画角を大きくする制御を行い、前記第１撮像部によって撮像される画角を大きくした場合に前記第２撮像部によって撮像される画角を小さくする制御を行う制御部（２）と、を具備する。
【０００６】
上記構成において、前記制御部は、前記第１撮像部によって撮像される画角が前記所定の画角より大きい場合は、前記第２撮像部によって撮像される画角が前記第１撮像部によって撮像される画角より小さくなるように制御を行い、前記第１撮像部によって撮像される画角が所定の画角より小さい場合は、前記第２撮像部によって撮像される画角が前記第１撮像部によって撮像される画角より大きくなるように制御を行う構成とすることができる。
【０００７】
上記構成において、前記制御部は前記所定の画角を変更する制御を行う構成とすることができる。
【０００８】
上記構成において、前記第１撮像部によって撮像される画角と前記第２撮像部によって撮像される画角との差が所定の範囲内にある場合、前記第２撮像部は撮像を行わない構成とすることができる。
【０００９】
上記構成において、前記制御部は、前記第１撮像部によって撮像される画角を前記第２撮像部によって撮像される画角より小さくする制御を行う構成とすることができる。
【００１０】
上記構成において、前記制御部は、前記第１撮像部によって撮像される画角及び前記第２撮像部によって撮像される画角を、連続的に変化させる制御を行う構成とすることができる。
【００１１】
上記構成において、前記制御部は、前記第１撮像部によって撮像される画角及び前記第２撮像部によって撮像される画角を、離散的に変化させる制御を行う構成とすることができる。
【発明の効果】
【００１２】
本発明によれば、複数の光学系を有効に利用することができる撮像装置を提供することができる。
【図面の簡単な説明】
【００１３】
【図１】図１（ａ）及び図１（ｂ）は、複数の撮像素子に撮像された画角の異なる画像を例示する図である。
【図２】図２は実施例１に係る撮像装置を例示するブロック図である。
【図３】図３（ａ）は実施例１に係る撮像装置の制御を例示するフローチャートであり、図３（ｂ）は実施例１の第２の変形例に係る撮像装置の制御を例示するフローチャートである。
【図４】図４（ａ）及び図４（ｂ）は実施例１に係る撮像装置の焦点距離を例示する図である。
【図５】図５は実施例２に係る撮像装置の焦点距離を例示する図である。
【発明を実施するための形態】
【００１４】
本発明では、複数の撮像素子により異なる画角の画像を撮像するため、複数の光学系を有効に利用することができる。ここで、異なる画角の画像の例について、図面を参照して説明する。
【００１５】
図１（ａ）及び図１（ｂ）は、複数の撮像素子に撮像された画角の異なる画像を例示する図である。実線で示す枠は第１撮像素子６（図２にて後述）によって撮像される画角、破線で示す枠は第２撮像素子１２（図２にて後述）によって撮像される画角である。
【００１６】
図１（ａ）に示すのは、第１撮像素子６によって撮像される画角が第２撮像素子１２によって撮像される画角より大きい場合の画像の例である。この場合、第１撮像素子６は人物の全身や周辺の風景も含めた画像を撮像する。これに対し、第２撮像素子１２は例えば人物の上半身にズームした画像を撮像する。例えばユーザが第１撮像素子６により画角の広い画像を撮像するためにズームポジションを変更した場合、所望の画像とともに画角の異なる画像も撮像できる。
【００１７】
また、第１撮像素子６によって撮像される画角が第２撮像素子１２によって撮像される画角より小さい場合は、図１（ｂ）に示すように第１撮像素子６が人物の上半身にズームした画像を撮像する。
【００１８】
次に図面を用いて、本発明の実施例について説明する。
【実施例１】
【００１９】
最初に、実施例１に係る撮像装置１００の構成について説明する。図２は実施例１に係る撮像装置１００を例示するブロック図である。
【００２０】
図２に示すように、撮像装置１００は、例えば制御部２、第１光学系４及び第２光学系１０、第１撮像素子６及び第２撮像素子１２、第１駆動部８及び第２駆動部１４、並びに操作部１６を備える。つまり、撮像装置１００は複数の光学系と撮像素子を備える。
【００２１】
制御部２は例えばＣＰＵ（Ｃｅｎｔｒａｌ  Ｐｒｏｃｅｓｓｉｎｇ  Ｕｎｉｔ：中央演算処理装置）である。第１光学系４及び第２光学系１０は、それぞれ例えばＣＣＤ（Ｃｈａｒｇｅ  Ｃｏｕｐｌｅｄ  Ｄｅｖｉｃｅ）イメージセンサ又はＣＭＯＳ（Ｃｏｍｐｌｅｍｅｎｔａｒｙ  Ｍｅｔａｌ  Ｏｘｙｄｅ  Ｓｅｍｉｃｏｎｄｕｃｔｏｒ）イメージセンサである。第１駆動部８及び第２駆動部１４は、それぞれ例えばモータである。操作部１６は例えばダイヤル、レバー、ボタン等である。
【００２２】
撮像装置１００の外部からの入射光は、第１光学系４及び第２光学系１０を通じて撮像装置１００に入射する。撮像装置１００に入射した入射光は、第１撮像素子６及び第２撮像素子１２に到達する。第１撮像素子６及び第２撮像素子１２は、それぞれ入射光を撮像して画像信号に変換し、画像信号を制御部２に送信する。第１撮像素子６は第１光学系４による対象の像を撮像する。第２撮像素子１２は第２光学系１０による対象の像を撮像する。第１光学系４と第２光学系１０とは、同じ方向に向くように撮像装置１００に設けられている。従って、第１撮像素子６と第２撮像素子１２とは、同じ被写体を撮像する。
【００２３】
第１光学系４及び第２光学系１０は、それぞれ複数のレンズを備え、焦点距離が可変である。第１駆動部８は第１光学系４が備えるレンズを、第２駆動部１４は第２光学系１０が備えるレンズを、それぞれ駆動させる。レンズが駆動されたことに応じて、第１光学系４及び第２光学系１０の各々の焦点距離は変化する。つまり、第１光学系４及び第２光学系１０の各々が備える複数のレンズ間の距離が変化すると焦点距離が変化する。第１光学系４及び第２光学系１０の各々の焦点距離が変化すると、第１撮像素子６によって撮像される画角及び第２撮像素子１２によって撮像される画角の各々が変化する。言い換えれば、第１光学系４及び第２光学系１０は、倍率が可変である。光学系の焦点距離が大きくなると撮像素子によって撮像される画角は小さくなり、焦点距離が小さくなると画角は大きくなる。
【００２４】
ユーザが操作部１６を操作することで、第１駆動部８及び第２駆動部１４の各々が、第１光学系４及び第２光学系１０の各々が備えるレンズを駆動させる。これにより、ユーザは操作部１６を操作することで、第１光学系４及び第２光学系１０の各々の焦点距離を変えることができる。制御部２は、第１撮像素子６、第２撮像素子１２、第１駆動部８、第２駆動部１４及び操作部１６の制御を行う。また制御部２は、各レンズの焦点距離、各レンズの位置に基づき、各撮像素子によって撮像される画角を制御する。この点については図４（ａ）から図４（ｃ）を参照して後述する。
【００２５】
次に、実施例１に係る撮像装置１００の制御について説明する。図３（ａ）は実施例１に係る撮像装置１００の制御を例示するフローチャートであり、図３（ｂ）は、実施例１の第２の変形例に係る撮像装置１００の制御を例示するフローチャートである。まず、図３（ａ）を参照して、撮像装置１００の制御について説明する。
【００２６】
図３（ａ）に示すように、まず制御部２は操作部１６が操作されたか判断する（ステップＳ１）。Ｎｏの場合、制御は終了する。Ｙｅｓの場合、第１駆動部８は第１光学系４を駆動させる（ステップＳ２）。ステップＳ２の後、第２駆動部１４は第２光学系１０を駆動させる（ステップＳ３）。すなわち制御部２は第１光学系４を駆動させる制御とともに、第２光学系１０を駆動させる制御を行う。
【００２７】
ステップＳ３の後、制御部２は第１撮像素子６によって撮像される画角と第２撮像素子１２によって撮像される画角との差が所定の範囲内にあるか判断する（ステップＳ４）。Ｙｅｓの場合、制御部２は第１撮像素子６によって撮像される画角と第２撮像素子１２によって撮像される画角とが等しくなる画角を変更する（ステップＳ５）。ステップＳ５の後、又はステップＳ４においてＮｏの場合、制御は終了する。
【００２８】
次に、実施例１に係る撮像装置１００について、図面を参照してより詳細に説明する。図４（ａ）及び図４（ｂ）は実施例１に係る撮像装置の光学系の焦点距離を例示する図である。制御部２は、図４（ａ）から図４（ｃ）、及び図５に示すような情報を記憶しており、これらの情報に基づき制御を行う。
【００２９】
図中の縦軸は焦点距離、横軸は第１光学系４のズームポジションをそれぞれ表す。第１光学系４のズームポジションとは、操作部１６の操作に応じて第１駆動部８により駆動される、第１光学系４が備えるレンズの位置である。また、太い実線は第１光学系４の焦点距離を、破線、一点鎖線及び細い実線は第２光学系１０の焦点距離を、それぞれ表す。
【００３０】
まず、図４（ａ）に示す太い実線に表す第１光学系４の焦点距離と、破線に表す第２光学系１０の焦点距離とに注目して、説明する。
【００３１】
図４（ａ）に示すように、ユーザが操作部１６を操作してズームポジションを変更することにより、光学系の焦点距離は変化する（図３（ａ）のステップＳ１，Ｓ２及びＳ３）。第１光学系４の焦点距離が大きくなると、第２光学系１０の焦点距離は小さくなる。言い換えれば、第１撮像素子６によって撮像される画角が小さくなると、第２撮像素子１２によって撮像される画角は大きくなる。反対に、第１光学系４の焦点距離が小さくなると、第２光学系１０の焦点距離は大きくなる。言い換えれば、第１撮像素子６によって撮像される画角が大きくなると、第２撮像素子１２によって撮像される画角は小さくなる。従って、第１撮像素子６と第２撮像素子１２とは、互いに異なる画角の画像を撮像する。第１光学系４の焦点距離と第２光学系１０の焦点距離とは、それぞれ連続的に変化する。
【００３２】
第１光学系４の焦点距離が図４（ａ）中のズームポジションＡにおける焦点距離５０ｍｍより小さい場合、第２光学系１０の焦点距離は第１光学系４の焦点距離より大きくなる。言い換えれば、第１撮像素子６によって撮像される画角がズームポジションＡにおける画角より大きい場合、第２撮像素子１２によって撮像される画角は第１撮像素子６によって撮像される画角より小さくなる。この場合、例えば前述の図１（ａ）に示すような画像が撮像される。
【００３３】
反対に、第１光学系４の焦点距離が図４（ａ）中のズームポジションＡにおける焦点距離５０ｍｍより大きい場合、第２光学系１０の焦点距離は第１光学系４の焦点距離より小さくなる。言い換えれば、第１撮像素子６によって撮像される画角がズームポジションＡにおける画角より小さい場合、第２撮像素子１２によって撮像される画角は第１撮像素子６によって撮像される画角より大きくなる。この場合、例えば前述の図１（ｂ）に示すような画像が撮像される。
【００３４】
次に、第１撮像素子６によって撮像される画角と第２撮像素子１２によって撮像される画角とが等しい画角、又は近似する画角となる場合について説明する。
【００３５】
図４（ａ）に示すように、太い実線と破線とは、ズームポジションＡにおいて交わる。つまり、第２光学系１０の焦点距離が破線のような変化をする場合、第１光学系４の焦点距離と第２光学系１０の焦点距離とが、ズームポジションＡにおいて、ともに５０ｍｍと等しくなる。すなわち、第１撮像素子６によって撮像される画角と第２撮像素子１２によって撮像される画角とが等しくなる。また、ズームポジションＡ付近では第１撮像素子６によって撮像される画角と第２撮像素子１２によって撮像される画角とが近似する（図３（ａ）のステップＳ４）。この場合、第１撮像素子６と第２撮像素子１２とが同じような画角の画像を撮像してしまい、２つの光学系を有効に利用できない。
【００３６】
制御部２は、第１撮像素子６によって撮像される画角と第２撮像素子１２によって撮像される画角との差が所定の範囲内にある場合、第２光学系１０の焦点距離が、ズームポジションに対して細い実線で表す変化をするような制御を行う。
【００３７】
所定の範囲とは、第１撮像素子６によって撮像される画角と第２撮像素子１２によって撮像される画角とが近似する範囲であり、ズームポジションＡ付近のズームポジションに対応する画角の範囲内である。ズームポジションＡ付近のズームポジションとは、例えばズームポジションＡにおける焦点距離５０ｍｍから±５ｍｍ以内の焦点距離や、±１０ｍｍ以内の焦点距離に対応するズームポジションである。
【００３８】
図４（ａ）に示すように、制御部２は第２光学系１０の焦点距離の縦軸に対する切片を変化させ、第１光学系４の焦点距離と第２光学系１０の焦点距離とが等しくなる焦点距離を変更することができる。言い換えれば、制御部２は第１撮像素子６によって撮像される画角と、第２撮像素子１２によって撮像される画角とが等しくなる画角を変更することができる（図３（ａ）のステップＳ５）。太い実線と細い実線とは、ズームポジションＢにおいて交わる。つまり、第２光学系１０の焦点距離が細い実線のような変化をする場合、第１光学系４の焦点距離と第２光学系１０の焦点距離とが、ズームポジションＢにおいて、ともに３０ｍｍと等しくなる。すなわち、第１撮像素子６によって撮像される画角と第２撮像素子１２によって撮像される画角とが等しくなる。
【００３９】
この場合、ズームポジションＡにおいて、第１撮像素子６によって撮像される画角と第２撮像素子１２によって撮像される画角とは等しくならない。また、ズームポジションＡ付近では、第１撮像素子６によって撮像される画角と第２撮像素子１２によって撮像される画角とが近似することが回避される。従って、複数の光学系を有効に利用することができる。
【００４０】
ズームポジションＡ付近において第２光学系１０の焦点距離が細い実線で表す変化をするような制御がされた場合、制御部２は、ズームポジションＡ及びズームポジションＡ以外のズームポジションでも、第２光学系１０の焦点距離が、細い実線で表す変化をする制御をしてもよい。また制御部２は、ズームポジションＡ付近においてのみ第２光学系１０の焦点距離が細い実線で表す変化をし、ズームポジションＡ及びズームポジションＡ以外のズームポジションでは、太い実線で表す変化をするように制御をしてもよい。
【００４１】
また制御部２は、第２光学系１０の焦点距離が、ズームポジションに対して一点鎖線で表す変化をするような制御を行ってもよい。この場合、第２光学系１０の焦点距離が、ズームポジションに対して比例せず、曲線で表されるように変化する。これにより、第１撮像素子６によって撮像される画角と第２撮像素子１２によって撮像される画角とが等しくなる画角が変化する。
【００４２】
図４（ｂ）に示すように、制御部２は、第２光学系１０の焦点距離が、ズームポジションに対して一点鎖線で表す変化をするような制御を行ってもよい。つまり、制御部２は第２光学系１０の焦点距離のズームポジションに対する傾きを変化させ、ズームポジションＢにおいて、第１光学系４の焦点距離と第２光学系１０の焦点距離とが等しくなるようにしてもよい。これらの場合、ズームポジションＡにおいて、第１撮像素子６によって撮像される画角と第２撮像素子１２によって撮像される画角とは等しくならない。また、ズームポジションＡ付近では、第１撮像素子６によって撮像される画角と第２撮像素子１２によって撮像される画角とが近似することが回避される。これにより、第１撮像素子６と第２撮像素子１２とが同じような画角の画像を撮像してしまう状態を回避できる。
【００４３】
実施例１によれば、第１撮像素子６と第２撮像素子１２とは、一方によって撮像される画角が大きくなれば他方によって撮像される画角は小さくなる。このため、２つの撮像素子の各々が異なる画像を撮像することができ、２つの光学系を有効に利用することができる。
【００４４】
また、制御部２は第１撮像素子６によって撮像される画角と、第２撮像素子１２によって撮像される画角とが等しくなる焦点距離を変更することができる。このため、第１撮像素子６と第２撮像素子１２とが同じような画角の画像を撮像してしまう状態を回避して、２つの光学系を有効に利用することができる。また、ユーザが操作部１６を操作することにより、第１撮像素子６によって撮像される画角と、第２撮像素子１２によって撮像される画角とが等しくなる焦点距離を変更してもよい。
【００４５】
第１撮像素子６によって撮像される画角と第２撮像素子１２によって撮像される画角とが等しくなる画角を変更する方法は、図４（ａ）及び図４（ｂ）に示す方法に限定されない。例えば第１光学系４の焦点距離と第２光学系１０の焦点距離とが反比例するようにしてもよい。つまり第１撮像素子６によって撮像される画角と第２撮像素子１２によって撮像される画角とが反比例するようにしてもよい。
【００４６】
図３（ａ）のステップＳ４の所定の範囲は、ズームポジションＡ付近のズームポジションに対応する画角の範囲としたが、これに限定されない。例えば、所定の範囲ゼロとし、第１撮像素子６によって撮像される画角と第２撮像素子１２によって撮像される画角とが等しい場合に、制御部２が図３（ａ）のステップＳ５の制御を行うとしてもよい。
【００４７】
次に実施例１の第１の変形例について説明する。図４（ｃ）は実施例１の第１の変形例に係る撮像装置の光学系の焦点距離を例示する図である。
【００４８】
図４（ｃ）に示すように、ズームポジションＡにおいて、第２光学系１０の焦点距離は第１光学系４の焦点距離より大きい焦点距離と、第１光学系４の焦点距離より小さい焦点距離との間で、離散的に変化する。つまり、ズームポジションＡにおいて、第２撮像素子１２によって撮像される画角は、第１撮像素子６によって撮像される画角より小さい画角と、第１撮像素子６によって撮像される画角より大きい画角との間で、離散的に変化する。
【００４９】
このため、第２撮像素子１２によって撮像される画角は、第１撮像素子６によって撮像される画角と等しくならない。従って、実施例１の第１の変形例によれば、２つの光学系を有効に利用することができる。また、第２撮像素子１２によって撮像される画角はズームポジションＡ付近のズームポジションにおいて、離散的に変化するとしてもよい。つまり、第２撮像素子１２によって撮像される画角は、画角の差がズームポジションＡ付近のズームポジションに対応する所定の範囲内の画角にならないとしてもよい。
【００５０】
次に実施例１の第２の変形例について説明する。図３（ｂ）は実施例１の第２の変形例に係る撮像装置１００の制御を例示するフローチャートである。
【００５１】
図３（ｂ）のステップＳ１〜Ｓ４は、図３（ａ）に示す制御と同じである。ステップＳ４においてＹｅｓの場合、制御部２は第２撮像素子１２が撮像を行わないように、第２撮像素子１２を制御する（ステップＳ６、図中では「第２撮像素子ＯＦＦ」と表記）。ステップＳ６の後、又はステップＳ４においてＮｏの場合、制御は終了する。
【００５２】
実施例１の第２の変形例によれば、例えば図４（ａ）のようにズームポジションＡにおいて第１撮像素子６によって撮像される画角と第２撮像素子１２によって撮像される画角との差が所定の範囲内にある場合、ズームポジションＡ及びズームポジションＡ付近のズームポジションにおいては、第２撮像素子１２による撮像を行わず第１撮像素子６による撮像のみを行う。言い換えればズームポジションＡに対応する画角、及びズームポジションＡ付近のズームポジションに対応する画角では、第２撮像素子１２による撮像を行わず第１撮像素子６による撮像のみを行う。従って、第１撮像素子６と第２撮像素子１２とが同じような画角の画像を撮像してしまう状態を回避して、２つの光学系を有効に利用することができる。
【００５３】
ズームポジションＡ付近では第２撮像素子１２は撮像を行い、第１撮像素子６によって撮像される画角と第２撮像素子１２によって撮像される画角とが等しくなった場合のみ、第２撮像素子１２が撮像を行わないとしてもよい。さらに、第２撮像素子１２は撮像を行い、第１撮像素子６が撮像を行わないとしてもよい。
【実施例２】
【００５４】
次に実施例２について説明する。図５は実施例２に係る撮像装置の焦点距離を例示する図である。
【００５５】
図５に示すように、制御部２は、ズームポジションに関らず第１光学系４の焦点距離が第２光学系１０の焦点距離より大きくなるように、制御を行う。つまり、制御部２は、第１撮像素子６によって撮像される画角は第２撮像素子１２によって撮像される画角より小さくなるように制御を行う。また、制御部２は、第１光学系４の焦点距離は大きくなり、第２光学系１０の焦点距離は小さくなるように、制御を行う。言い換えれば、制御部２は、第１撮像素子６によって撮像される画角は小さくなり、第２撮像素子１２によって撮像される画角は大きくなるように制御を行う。
【００５６】
実施例２によれば、ズームポジションがどのように設定された場合でも、第１撮像素子６によって撮像される画角は第２撮像素子１２によって撮像される画角より小さい。従って例えば図１（ｂ）に示すように、２つの撮像素子の各々が異なる画像を撮像するため、２つの光学系を有効に利用することができる。また、第１撮像素子６はズーム用、第２撮像素子１２はワイド用などのように、撮像素子ごとに役割分担をすることができる。
【実施例３】
【００５７】
次に実施例３について説明する。表１は実施例３に係る撮像装置の焦点距離を例示する表である。焦点距離の単位はミリメートルである。
【表１】
2011112662.tif 000003
【００５８】
表１に示すように、制御部２は、ズームポジションＣにおいて第１光学系４の焦点距離が例えば５０ｍｍとなり、第２光学系１０の焦点距離が例えば３５ｍｍとなるように、制御を行う。また制御部２は、ズームポジションＤにおいて第１光学系４の焦点距離が例えば１００ｍｍとなり、第２光学系１０の焦点距離が例えば２４ｍｍとなるように、制御を行う。
【００５９】
撮像装置がとり得るズームポジションはＣ及びＤの２つのみである。言い換えれば、第１光学系４の焦点距離は５０ｍｍ及び１００ｍｍの２つの値のみをとり、第２光学系１０の焦点距離は３５ｍｍ及び２４ｍｍの２つの値のみをとる。つまり制御部２は、第１光学系４の焦点距離及び第２光学系１０の焦点距離が離散的に変化するように制御を行う。言い換えれば制御部２は、第１撮像素子６によって撮像される画角及び第２撮像素子１２によって撮像される画角が離散的に変化するように制御を行う。
【００６０】
実施例３のように、画角が離散的に変化する撮像装置においても、第１撮像素子６と第２撮像素子１２とは、一方によって撮像される画角が大きくなれば他方によって撮像される画角は小さくなるようにすることで、２つの光学系を有効に利用することができる。
【００６１】
実施例３では第１撮像素子６によって撮像される画角が、第２撮像素子１２によって撮像される画角より小さい例について説明したが、これに限定されない。この点に関連して、実施例３の変形例について説明する。表２は実施例３の変形例に係る撮像装置のレンズの焦点距離を例示する表である。
【表２】
2011112662.tif 000004
【００６２】
表２に示すように、制御部２は、ズームポジションＣにおいて第１光学系４の焦点距離が例えば３５ｍｍとなり、第２光学系１０の焦点距離が例えば５０ｍｍとなるように制御を行う。また制御部２は、ズームポジションＤにおいて第１光学系４の焦点距離が例えば１００ｍｍとなり、第２光学系１０の焦点距離が例えば２４ｍｍとなるように制御を行う。実施例３の変形例のように、画角が離散的に変化する場合でも、ズームポジションによって、第１撮像素子６によって撮像される画角と第２撮像素子１２によって撮像される画角との大小関係が入れ替わってもよい。
【００６３】
実施例３では撮像装置のとり得るズームポジションが２つであったが、これに限定されず３つ以上でもよい。つまり第１撮像素子６及び第２撮像素子１２は、３つ以上の画角をとり、画角が離散的に変化するとしてもよい。
【００６４】
以上、本発明の実施例について詳述したが、本発明はかかる特定の実施例に限定されるものではなく、特許請求の範囲に記載された本発明の要旨の範囲内において、種々の変形・変更が可能である。
【符号の説明】
【００６５】
制御部          ２
第１光学系      ４
第１撮像素子    ６
第１駆動部      ８
第２光学系      １０
第２撮像素子    １２
第２駆動部      １４
撮像装置        １００
【図１】
2011112662.tif 000005
【図２】
2011112662.tif 000006
【図３】
2011112662.tif 000007
【図４】
2011112662.tif 000008
【図５】
2011112662.tif 000009